(57)【特許請求の範囲】
【請求項１】
被施術者の首部を受ける首受け部を持つボール部と、該ボール部を支持するレッグ部と、一端が上記レッグ部に固定され他端に理美容椅子の座が着脱可能に取り付けられる座支持台が設けられた座支持台支持杆とを有する洗髪機であって、
上記座支持台は、該取り付けられる理美容椅子の背もたれ面に対して前後にスライドするスライド部を持ち、
該スライド部に、該理美容椅子の座を取り付ける取付部が設けられており、
該洗髪機の設置の際には、上記レッグ部のみが設置面に接する、
ことを特徴とする理美容椅子の座支持台付き洗髪機。
【請求項２】
請求項１記載の理美容椅子の座支持台付き洗髪機において、
上記スライド部は、該スライド部のスライドをガイドするガイドレールに沿って、所望の位置までスライド移動されるものであり、
該スライド部をスライド移動させるに必要な摺動力を調整する摺動力調整部を備えた、
ことを特徴する理美容椅子の座支持台付き洗髪機。
【請求項３】
請求項１または請求項２記載の理美容椅子の座支持台付き洗髪機において、
上記理美容椅子の座を取り付ける取付部は、上記理美容椅子の座の裏面に設けられたはめ込み部に嵌合する突起である、
ことを特徴とする理美容椅子の座支持台付き洗髪機。
【発明の詳細な説明】
【０００１】
【発明の属する技術分野】
本発明は、主として理美容院で使用される理美容椅子を取り付ける理美容椅子の座支持台に関する。
【０００２】
【従来の技術】
従来、理美容院において、洗髪施術を行う際、施術者は被施術者に理美容椅子の座席に後ろ向きに座ってもらい、その理美容椅子の背もたれを倒して、洗髪機の首受け部に被施術者の首がくるように横たわってもらった状態で、洗髪を行う。この時、理美容椅子の座席に座ってもらう被施術者が背丈の高い人である場合は、その被施術者に座席に座ってもらったそのままの状態で該理美容椅子の背もたれを倒すと、首受け部に該被施術者の首がうまく当らず、その当る角度によっては被施術者に大きな負担を与えることがあった。この問題を解決するものとして、理美容椅子の座席部に、前方にスライドする機能を持たせた理美容椅子があり、被施術者が背の高い人である場合には理美容椅子をスライドさせ、被施術者に負担がかからないようにしている。
【０００３】
【発明が解決しようとする課題】
しかし、従来のように、理美容椅子の座席にスライド機能を持たせたものを使用している場合、理美容椅子が汚れや、店の模様替えによるデザイン変更等の理由で、理美容椅子の座を交換する場合に、デザイン等の都合上、理美容椅子の座をスライド機能の持たないものに交換してしまうと、スライドできなくなってしまう。
【０００４】
本発明は、上記課題に鑑みてなされたものであり、理美容椅子の座がスライド機能の持たないものである場合にも理美容椅子をスライドできる理美容椅子の座支持台を備えた洗髪機を提供するものである。
【０００８】
【課題を解決するための手段】
本発明の請求項１記載の理美容椅子の座支持台付き洗髪機は、被施術者の首部を受ける首受け部を持つボール部と、該ボール部を支持するレッグ部と、一端が上記レッグ部に固定され他端に理美容椅子の座が着脱可能に取り付けられる座支持台が設けられた座支持台支持杆とを有する洗髪機であって、上記座支持台が、該取り付けられる理美容椅子の背もたれ面に対して前後にスライドするスライド部を持ち、該スライド部に、該理美容椅子の座を取り付ける取付部が設けられており、該洗髪機の設置の際には、上記レッグ部のみが設置面に接するものである。このことにより、理美容椅子の座がスライド機能の持たないものである場合にも、理美容椅子の座を前後にスライドさせることができ、被施術者の背の高低にかかわらず、シャンプー施術中の、被施術者の首の負担を軽減することができる。
【０００９】
また、本発明の請求項２記載の理美容椅子の座支持台付き洗髪機は、請求項１記載の理美容椅子の座支持台付き洗髪機において、上記スライド部は、該スライド部のスライドをガイドするガイドレールに沿って、所望の位置までスライド移動されるものであり、該スライド部をスライド移動させるに必要な摺動力を調整する摺動力調整部を備えたものである。このことにより、上記摺動力調整部によって、該理美容椅子をスライドさせるのに必要な摺動力を調節できる理美容椅子の座支持台付き洗髪機を提供できる。
【００１０】
また、請求項３記載の理美容椅子の座支持台付き洗髪機は、請求項１または請求項２記載の理美容椅子の座支持台付き洗髪機において、上記理美容椅子の座を取り付ける取付部が、上記理美容椅子の座の裏面に設けられたはめ込み部に嵌合する突起であるものである。このことにより、理美容椅子の座を上記理美容椅子の座支持台に簡単に着脱できる理美容椅子の座支持台付き洗髪機を提供することができる。
【００１１】
【発明の実施の形態】
（実施の形態１）
以下、図１から図４を用いて、実施の形態１について説明する。
まず、図１から図３を用いて、本実施の形態１における、理美容椅子の座支持台付き洗髪機、及びその理美容椅子の座支持台の構成を説明する。
【００１２】
図１は、本実施の形態１における、理美容椅子の座支持台付き洗髪機の外観斜視図であり、図２は、本実施の形態１における、理美容椅子の座台部１０に理美容椅子が取りつけられた状態を示した斜視図であり、図３（ａ）は、本実施の形態１における、理美容椅子の座台部１０の構造を示す断面図であり、図３（ｂ）は、図３（ａ）のＡ−Ａ’直線での断面図である。
【００１３】
図１において、１は、床面上に載置固定される基台部、３は、施術者がシャンプー施術を行うボール部、４は、被施術者がシャンプー施術を受ける時に首を置く首受け部、２は、基台部１から上方に伸びて上記ボール部３を支持するレッグ部、５は、該レッグ部２と上記ボール部３との間に設けられた、ボール部３をレッグ部２にとりつける部分である接続部、１０は、理美容椅子の座２０を取り付ける座支持台、６は、該座支持台１０を一端に備え、他端が上記レッグ部２に固定された座支持台支持杆である。また、図２に示しているように、上記座支持台１０には、洗髪を受ける被施術者が座る、背もたれが自在に倒れる理美容椅子２０が取りつけられる。理美容椅子の座２０は、上記取付部１８に嵌合するはめ込み部２１を備え、上記座支持台１０の取付部１８に、そのはめ込み部２１をはめ込むことで、理美容椅子の座２０を座支持台１０に固定することができるようになっている。
【００１４】
ここで、図３（ａ）、（ｂ）を用いて、上記座支持台１０の構成について詳細な説明をする。
スライド板１１（スライド部）は、理美容椅子の座２０を取り付ける取付部１８と、該スライド板１１をスライドさせるためのローラー１３と該スライド板１１とを連結する連結部１２と、施術者によって該スライド板１１をスライドさせる際に必要な摺動力を調整する部分である摺動力調整部からなり、ガイドレール１４に沿って、スライドするものである。
【００１５】
また、ガイドレール１４は、座支持台１０に取り付けられた理美容椅子の背もたれ面に対して垂直に伸びていて、ローラー１３がスライド移動するときの軌道となるものである。
また、上記摺動力調整部は、摺動力調整ボルト１５とバネ３０と摺動子１６とからなるもので、摺動力調整ボルト１５は、座支持台１０の底面に貼りつけられた摺動板１７に、摺動子１６を押えつけるバネ３０の上端の位置を定め、スライド板１１をスライドさせるのに必要な摺動力を調節するものである。
【００１６】
次に、図４を用いて、本実施の形態１における、理美容椅子の座支持台座付き洗髪機を使用して、シャンプー施術を行う場合に伴う、理美容椅子の座台部１０のスライド動作を説明する。
図４（ａ）は、本実施の形態１における、理美容椅子の座支持台１０をスライド移動させた図であり、図４（ｂ）は、図４（ａ）の状態から元の状態にスライド移動させた図である。また、図４において、図３と同一符号は同一又は相当する部分を示しているため、説明を省略する。
【００１７】
まず、本実施の形態１における、理美容椅子の座支持台付き洗髪機は、図４（ｂ）の格納状態にあるものとする。
シャンプー施術者（図示せず）は、被施術者（図示せず）を座支持台１０のスライド板１１の取付部１８で固定された理美容椅子の座２０に座ってもらい、該理美容椅子の座２０の背もたれを倒して、ボール部３の首受け部４に被施術者の首がくるように横たわってもらう。
【００１８】
この際、被施術者が背の高い人である場合、施術者は、理美容椅子２０の背もたれを、洗髪機と反対の方向へ押し、図４（ａ）のように理美容椅子２０の座が取りつけられている座支持台１０のスライド板１１を、被施術者の首がうまく首受け部４に当るように、適当な位置までスライドさせる。また、該理美容椅子２０をスライドさせるのに必要な摺動力の調節は、摺動力調整ボルト１５をゆるめたり、しめたりして行われる。
【００１９】
この摺動力の調節は、摺動調整ボルト１５がゆるめられると、摺動子１６が摺動板１７に押さえつけられていた力が少し弱まり、摺動子１６と摺動板１７との摩擦力が低下し、また逆に摺動力調整ボルト１５をしめると、摺動子１６と摺動板１７との摩擦力が大きくなることによるものである。
【００２０】
このように、本実施の形態１における、理美容椅子の座支持台付き洗髪機においては、前後にスライドする座支持台１０に上記理美容椅子の座２０を取り付けることにより、理美容椅子の座がスライド機能の持たないものである場合にも理美容椅子をスライドさせることができるので、被施術者の背の高低にかかわらず、被施術者が楽な姿勢でシャンプー施術を受けることを可能とできる。
【００２１】
また、本実施の形態１における、理美容椅子の座支持台付き洗髪機においては、理美容椅子の座２０のはめ込み部２１を、座支持台１０の取付部１８にはめ込んで固定する構造を持つので、該理美容椅子の座２０を取り外しすることができ、理美容椅子の汚れや、デザイン変更に容易に対応できる。
【００２２】
【発明の効果】
以上のように本発明によれば、理美容椅子の座が着脱可能に取り付けられる座支持台において、上記座支持台が、該取り付けられる理美容椅子の背もたれ面に対して前後にスライドするスライド部を持ち、該スライド部に、上記理美容椅子の座を取り付ける取付部が設けられている構成としたので、理美容椅子の座がスライド機能の持たないものである場合にも理美容椅子のスライドを可能とできる効果がある。
【００２３】
また、本発明によれば、被施術者の首部を受ける首受け部を持つボール部と、該ボール部を支持するレッグ部と、一端が上記レッグ部に固定され他端に理美容椅子の座が着脱可能に取り付けられる座支持台が設けられた座支持台支持杆とを有する洗髪機であって、上記座支持台が、該取り付けられる理美容椅子の背もたれ面に対して前後にスライドするスライド部を持ち、該スライド部に、該理美容椅子の座を取り付ける取付部が設けられている構成としたので、理美容椅子の座がスライド機能の持たないものである場合にも、本理美容椅子の座支持台付き洗髪機の座をスライドさせることができ、被施術者の背の高低にかかわらず、被施術者が楽な姿勢でシャンプー施術を受けることを可能とできる効果がある。
【図面の簡単な説明】
【図１】本発明の実施の形態１にかかる、理美容椅子の座支持台付き洗髪機の外観斜視図である。
【図２】本発明の実施の形態１にかかる、理美容椅子の座支持台に、理美容椅子が取りつけられた状態を示す斜視図である。
【図３】本発明の実施の形態１にかかる、理美容椅子の座支持台の構成を示す断面図である。
【図４】本発明の実施の形態１にかかる、理美容椅子の座支持台の移動状態を示す斜視図である。
【符号の説明】
１  基台部
２  レッグ部
３  ボール部
４  首受け部
５  接続部
６  座支持台支持杆
１０  座支持台
１１  スライド板
１２  連結部
１３  ローラー
１４  ガイドレール
１５  摺動固定ボルト
１６  摺動子
１７  摺動板
１８  取付部
２０  理美容椅子の座
２１  はめ込み部
３０  バネ
【図１】
0004526663.tif 000002
【図２】
0004526663.tif 000003
【図３】
0004526663.tif 000004
【図４】
0004526663.tif 000005